(57)【要約】      （修正有）【課題】片手だけで用紙を容易に引き出すことが可能で、用紙を取り去った時にボードに残った用紙の整列が乱れることのないクリップボードを提供する。【解決手段】クリップボード１は、用紙の綴じ穴４１を、ボード部２から垂直に立つ２本の金属柱３２に通し、その金属柱３２の頭頂部をマグネット３３が付いた開閉蓋３１ｃで押さえることにより、用紙４をクリップする機構を備える。用紙４を取り出すには、綴じられた用紙４の端を、片手で上方に引き上げる。このとき開閉蓋３１ｃが持ち上がり、マグネット３３と金属柱３２との吸着が破れ、用紙４は金属柱３２から抜け出すことが可能となる。【選択図】図２
0003233916.tif 000002
【実用新案登録請求の範囲】
【請求項１】
綴じ穴のあいた用紙を、ボードに綴じ込むクリップボードであって、
ボードの上部に垂直に立つ強磁性体で作られた２本の金属柱に用紙の綴じ穴を通し、
前記金属柱の頭頂部を、マグネットの付いた開閉蓋で覆うことにより、用紙をボードにクリップすることを特徴とし、片手で用紙を取り出すことを可能とするクリップボード。
【考案の詳細な説明】
【技術分野】
【０００１】  本考案は、クリップボードに関するものである。
【背景技術】
【０００２】  従来、クリップボードに用紙を挟み込むには、バネなどの力を利用したクリップによる方式が知られている。これらのクリップボードから用紙を取り出す際には、片手でクリップ部を開き、もう一方の手で用紙を取り出すという、両手を使っての動作が必要である。さらに、用紙を取り出す際に、ボードに残す用紙の整列が乱れるという欠点がある。【０００３】  一方、下記非特許文献では、クリップをバネによらずボタン式を採用しており、用紙を取り出す際の用紙の整列の乱れは生じないが、用紙を取り出すには両手を使う必要がある。
【先行技術文献】
【非特許文献】
【０００４】
【非特許文献】ｐｅｎ−ｉｎｆｏ社、ボタン式クリップボード、［ｏｎｌｉｎｅ］、令和３年３月検索、インターネット＜ＵＲＬ：ｈｔｔｐ：／／ｗｗｗ．ｐｅｎ−ｉｎｆｏ．ｊｐ／ｌｉｂｒａｒｙ／ａｌｌ／ｆｉｌｅ／２０１１０９１３＿２７２８．ｈｔｍｌ＞
【考案の概要】
【考案が解決しようとする課題】
【０００５】  本考案が解決しようとする課題は、片手で用紙を取り出すことができ、かつ用紙を取り去った時にボードに残った用紙の整列が乱れることのない、クリップボードを提供することにある。
【課題を解決するための手段】
【０００６】  本考案は、前記課題を解決するために開発されたものであり、図１に本考案によるクリップボード１の拡大斜視図を示す。クリップボード１は、ボード部２とクリップ部３で構成される。クリップ部３は、カバー部３１、二本の強磁性体を材料とする金属柱３２、およびマグネット３３からなる。およそカタカナのコの字形をなすカバー部３１は、ボード部２に固定されたベース３１ａと、これに垂直をなす壁部３１ｂ、および角度９０度以上の可動開閉角を持つ開閉蓋３１ｃとで構成される。金属柱３２は、ベース３１ａから垂直に立つ。マグネット３３は、開閉蓋を閉じたときにマグネットの中心が金属柱の頭頂部に位置するように、開閉蓋３１ｃの内側に固定されている。【０００７】  クリップボード１に用紙をクリップするには、図２に示すように、用紙４の綴じ穴４１を、金属柱３２に通す。次いで、この金属柱３２の頭頂部を、マグネット３３のついた開閉蓋３１ｃで封じることにより、マグネット３３と金属柱３２は吸着し、図３に示すように用紙４をクリップすることができる【０００８】  クリップボード１にクリップされた用紙４から、上端に積まれている、取り出しが必要な用紙４２を取り出すには、取り出しが必要な用紙４２の下端を片手でつまみ、上方に持ち上げる。これにより、取り出しが必要な用紙４２の上端部が開閉蓋３１ｃを持ち上げ、金属柱３２とマグネット３３との吸着を開放する。このとき、綴じ穴４１が金属柱３２から外れ、取り出しが必要な用紙４２が取り出される。【０００９】  もう一つの、片手による取り出し方法がある。開閉蓋３１ｃを片手で引き上げて開き、金属柱３２とマグネット３３との吸着を外す。これにより、用紙４はクリップ状態から解放され、取り出しが必要な用紙４２は片手で容易に取り出すことが出来る。【００１０】  上記二つのいずれの取り出し法でも、ボードに残される用紙４は、金属柱３２に綴られたままであるので、用紙４の整列が乱れることはない。
【考案の効果】
【００１１】  上述のように、片手で取り出しが必要な用紙４２を取り出すことができ、かつ用紙を取り去った時にボードに残った用紙の整列が乱れることのない、クリップボードが提供され、事務作業等の効率化に寄与する。
【図面の簡単な説明】
【００１２】
【図１】本考案のクリップボードの拡大斜視図である。
【図２】クリップボードの金属柱に用紙を装着した状態の斜視図である。
【図３】クリップボードに用紙を装着し開閉蓋を閉めた状態の斜視図である。
【図４】クリップボードから用紙を片手で取り出す方法（その１）の用紙とクリップ部の動作の図解画である。
【図５】クリップボードから用紙を片手で取り出す方法（その２）の用紙とクリップ部の動作の図解画である。
【考案を実施するための形態】
【００１３】  本考案において、クリップボード１にクリップされた用紙４の中から、上端に積まれている取り出しが必要な必要な用紙４２を、片手で取り出す方法は二通りある。その第一の方法は、取り出しが必要な用紙４２の下端を片手でつまみ、上方に持ち上げる。これにより、取り出しが必要な用紙４２の上端部が開閉蓋３１ｃを持ち上げ、取り出しが必要な用紙４２の綴じ穴４１が金属柱３２から外れ、用紙４が取り出される。
【００１４】  この第一の方法で、取り出しが必要な用紙４２が片手で取り出される様子を、図４に図解画で示す。図４（Ａ）はクリップボード１に用紙４がクリップされている状態を示す。図４（Ｂ）は、用紙４の中から取り出しが必要な用紙４２を片手でつまんだ状態を示す。図４（Ｃ）は、つまんだ取り出しが必要な用紙４２を上方に引き上げている状態を示す。このとき、取り出しが必要な用紙（４２）は、開閉蓋３１ｃを持ち上げはじめる。図４（Ｄ）は、取り出しが必要な用紙４２をさらに上方に引き上げたとき、開閉蓋３１ｃが更に開き、金属柱３２とマグネット３３との吸着が開放され、取り出しが必要な用紙４２の綴じ穴４１が金属柱３２から外れる瞬間を示す。図４（Ｅ）は、更に次の瞬間に、必要な用紙４２がクリップボード１から離れた状態を示す。このあと、開閉蓋３１ｃは自重によって下降し、マグネット３３の磁力で金属柱３２に吸着する。
【００１５】  第二の、クリップボード１にクリップされた用紙４の中から、上端に積まれている取り出しが必要な用紙４２を片手で取り出す方法は、開閉蓋３１ｃを片手で引き上げて開き、金属柱３２とマグネット３３の吸着をはずして、金属柱３２の頭頂部をオープンにする。これにより、用紙４は金属柱３２の綴りから解放され、上端に積まれている取り出しが必要な用紙４２は片手で容易に取り出すことが出来る。
【００１６】  この第二の方法によって、取り出しが必要な用紙４２が片手で取り出される様子を、図５に図解画で示す。図５（Ａ）は、開閉蓋３１ｃを片手でつまんだ状態を示す。図５（Ｂ）は、つまんだ開閉蓋３１ｃを持ち上げ、金属柱３２の頭頂部をオープンにした状態を示す。図５（Ｃ）は、取り出しが必要な用紙４２を片手でつまんだ状態を示す。図４（Ｄ）はつまんだ取り出しが取り出しが必要な用紙４２を上方に引き上げて、クリップボード１から外した状態を示す。
【符号の説明】
【００１７】  １  クリップボード
２  ボード部
３  クリップ部
３１  カバー部
３１ａ  ベース
３１ｂ  壁部
３１ｃ  開閉蓋
３２  金属柱
３３  マグネット
４  用紙
４１  綴じ穴
４２  取り出しが必要な用紙
【図１】
0003233916.tif 000003
【図２】
0003233916.tif 000004
【図３】
0003233916.tif 000005
【図４】
0003233916.tif 000006
【図５】
0003233916.tif 000007